(57)【要約】【課題】伝送端末の利用者が、セッションに参加中に、伝送端末の宛先リストに登録されている２つの伝送端末の宛先リストに、互いの情報を登録することを容易にする。【解決手段】伝送管理装置は、セッションに参加している第１の伝送端末にセッションに参加している伝送端末のうち、第１の伝送端末の宛先リストに登録されている登録済端末の端末情報を通知する第１の通知部と、第１の伝送端末から登録済端末の中から選択された第２の伝送端末の情報を受け付けた場合、第１の伝送端末の宛先リストに登録されている伝送端末のうち第２の伝送端末の宛先リストに登録されていない未登録端末の端末情報を第１の伝送端末に通知する第２の通知部と、第１の伝送端末から未登録端末の中から選択された第３の伝送端末の情報を受け付けた場合、第２及び第３の伝送端末の宛先リストへの情報の登録を制御する登録制御部と、を有する。【選択図】図６
2018006823.tif 000002
【特許請求の範囲】
【請求項１】
複数の伝送端末間でデータの伝送を行うセッションを管理する伝送管理装置であって、
伝送端末毎に、前記セッションの宛先の候補となる１つ以上の伝送端末の情報を記憶した宛先リストを管理する宛先リスト管理部と、
前記伝送端末毎に、該伝送端末の端末情報を管理する端末情報管理部と、
前記セッションに参加している前記伝送端末の情報を管理するセッション管理部と、
前記セッションに参加している第１の伝送端末に、前記セッションに参加している他の伝送端末のうち、前記第１の伝送端末の前記宛先リストに登録されている前記伝送端末である登録済端末の前記端末情報を含む参加端末情報を通知する第１の通知部と、
前記第１の伝送端末から、前記登録済端末の中から選択された第２の伝送端末の情報を受け付けた場合、前記第１の伝送端末の前記宛先リストに登録されている前記伝送端末のうち、前記第２の伝送端末の前記宛先リストに登録されていない前記伝送端末である未登録端末の前記端末情報を含む候補端末情報を、前記第１の伝送端末に通知する第２の通知部と、
前記第１の伝送端末から、前記未登録端末の中から選択された第３の伝送端末の情報を受け付けた場合、前記第２の伝送端末の前記宛先リストへの前記第３の伝送端末の情報の登録、及び前記第３の伝送端末の前記宛先リストへの前記第２の伝送端末の情報の登録を行う登録処理の制御を行う登録制御部と、
を有する伝送管理装置。
【請求項２】
前記端末情報管理部が管理する前記伝送端末の端末情報は、該伝送端末の前記宛先リストへの情報の登録に関する設定情報を含み、
前記登録制御部は、
前記第２の伝送端末の前記設定情報と前記第３の伝送端末の前記設定情報とに基づいて、前記登録処理を制御する請求項１に記載の伝送管理装置。
【請求項３】
前記第２の伝送端末の前記設定情報、及び前記第３の伝送端末の前記設定情報が、当該伝送端末の前記宛先リストへの情報の登録を許可する情報である場合、
前記登録制御部は、前記登録処理を実行する請求項２に記載の伝送管理装置。
【請求項４】
前記第２の伝送端末の前記設定情報、及び前記第３の伝送端末の前記設定情報のうち、一方が当該伝送端末の前記宛先リストへの情報の登録を許可する情報であり、他方が当該伝送端末の前記宛先リストへの登録に承認を要することを示す情報である場合、
前記登録制御部は、
前記承認を要する前記伝送端末に、前記宛先リストへの情報の登録の承認を要求し、前記承認が得られたとき、前記登録処理を実行する請求項２又は３に記載の伝送管理装置。
【請求項５】
前記第２の伝送端末の前記設定情報、及び前記第３の伝送端末の前記設定情報が、当該伝送端末の前記宛先リストへの登録に承認を要することを示す情報である場合、
前記登録制御部は、
前記第２の伝送端末、及び前記第３の伝送端末に、前記宛先リストへの情報の登録の承認を要求し、前記第２の伝送端末、及び前記第３の伝送端末からの承認が得られたとき、前記登録処理を実行する請求項２乃至４のいずれか一項に記載の伝送管理装置。
【請求項６】
請求項１乃至５のいずれか一項に記載の伝送管理装置と、
前記伝送管理装置が管理するセッションに参加する第１の伝送端末に、
前記セッションに参加中に、前記伝送管理装置から通知される、前記セッションに参加している伝送端末のうち、前記第１の伝送端末の宛先リストに登録されている前記伝送端末である登録済端末の端末情報を含む参加端末情報を受信するステップと、
前記受信した前記参加端末情報を用いて、前記登録済端末の前記端末情報を含む第１の表示画面を表示するステップと、
前記第１の表示画面から選択された第２の伝送端末の情報を前記伝送管理装置に送信するステップと、
前記伝送管理装置から通知される、前記第１の伝送端末の前記宛先リストに登録されている前記伝送端末のうち、前記第２の伝送端末の前記宛先リストに登録されていない前記伝送端末である未登録端末の前記端末情報を含む候補端末情報を受信するステップと、
前記受信した前記候補端末情報を用いて、前記未登録端末の前記端末情報を含む第２の表示画面を表示するステップと、
前記第２の表示画面から選択された第３の伝送端末の情報を前記伝送管理装置に送信するステップと、
を実行させるためのプログラムと、
を含む伝送システム。
【請求項７】
前記登録済端末の前記端末情報は、
当該登録済端末の前記宛先リストへの情報の登録が許可されているか、前記宛先リストへの情報の登録に承認を要するか、前記宛先リストへの情報の登録が禁止されているかを示す設定情報を含み、
前記第１の表示画面を表示するステップは、
前記宛先リストへの情報の登録が許可されている前記登録済端末の前記端末情報、及び前記宛先リストへの情報の登録に承認を要する前記登録済端末の前記端末情報を、前記第１の表示画面に選択可能に表示する請求項６に記載の伝送システム。
【請求項８】
前記未登録端末の端末情報は、
当該未登録端末の前記宛先リストへの情報の登録が許可されているか、前記宛先リストへの情報の登録に承認を要するか、前記宛先リストへの情報の登録が禁止されているかを示す設定情報を含み、
前記第２の表示画面を表示するステップは、
前記宛先リストへの情報の登録が許可されている前記未登録端末の前記端末情報、及び前記宛先リストへの情報の登録に承認を要する前記未登録端末の前記端末情報を、前記第２の表示画面に選択可能に表示する請求項６又は７に記載の伝送システム。
【請求項９】
複数の伝送端末間でデータの伝送を行うセッションを管理する伝送管理装置を、
伝送端末毎に、前記セッションの宛先の候補となる１つ以上の伝送端末の情報を記憶した宛先リストを管理する宛先リスト管理部と、
前記伝送端末毎に、該伝送端末の端末情報を管理する端末情報管理部と、
前記セッションに参加している前記伝送端末の情報を管理するセッション管理部と、
前記セッションに参加している第１の伝送端末に、前記セッションに参加している他の伝送端末のうち、前記第１の伝送端末の前記宛先リストに登録されている前記伝送端末である登録済端末の前記端末情報を含む参加端末情報を通知する第１の通知部と、
前記第１の伝送端末から、前記登録済端末の中から選択された第２の伝送端末の情報を受け付けた場合、前記第１の伝送端末の前記宛先リストに登録されている前記伝送端末のうち、前記第２の伝送端末の前記宛先リストに登録されていない前記伝送端末である未登録端末の前記端末情報を含む候補端末情報を、前記第１の伝送端末に通知する第２の通知部と、
前記第１の伝送端末から、前記未登録端末の中から選択された第３の伝送端末の情報を受け付けた場合、前記第２の伝送端末の前記宛先リストへの前記第３の伝送端末の情報の登録、及び前記第３の伝送端末の前記宛先リストへの前記第２の伝送端末の情報の登録を行う登録処理の制御を行う登録制御部と、
として機能させるためのプログラム。
【請求項１０】
複数の伝送端末間でデータの伝送を行うセッションを管理する伝送管理装置による情報処理方法であって、
前記伝送管理装置が、
伝送端末毎に、前記セッションの宛先の候補となる１つ以上の伝送端末の情報を記憶した宛先リストを管理するステップと、
前記伝送端末毎に、該伝送端末の端末情報を管理するステップと、
前記セッションに参加している前記伝送端末の情報を管理するステップと、
前記セッションに参加している第１の伝送端末に、前記セッションに参加している他の伝送端末のうち、前記第１の伝送端末の前記宛先リストに登録されている前記伝送端末である登録済端末の前記端末情報を含む参加端末情報を通知するステップと、
前記第１の伝送端末から、前記登録済端末の中から選択された第２の伝送端末の情報を受け付けた場合、前記第１の伝送端末の前記宛先リストに登録されている前記伝送端末のうち、前記第２の伝送端末の前記宛先リストに登録されていない前記伝送端末である未登録端末の前記端末情報を含む候補端末情報を、前記第１の伝送端末に通知するステップと、
前記第１の伝送端末から、前記未登録端末の中から選択された第３の伝送端末の情報を受け付けた場合、前記第２の伝送端末の前記宛先リストへの前記第３の伝送端末の情報の登録、及び前記第３の伝送端末の前記宛先リストへの前記第２の伝送端末の情報の登録を行う登録処理の制御を行うステップと、
を含む情報処理方法。
【発明の詳細な説明】
【技術分野】
【０００１】
本発明は、伝送管理装置、伝送システム、情報処理方法、及びプログラムに関する。
【背景技術】
【０００２】
インターネット等の通信ネットワークを介して遠隔地との間で、遠隔会議を行う遠隔会議システムが普及している。
【０００３】
また、遠隔会議システムにおいて、伝送端末に、通信の宛先の候補となる複数の端末の情報を宛先リストとして表示させ、宛先リストから宛先の端末を選択することにより、宛先の端末との通信の開始を容易にする技術が知られている（例えば、特許文献１参照）。
【０００４】
さらに、遠隔会議システムにおいて、会議の前等に、伝送端末の宛先リストに登録されている２つの伝送端末に対して、互いの宛先リストへの宛先情報の登録を促す技術が知られている（例えば、特許文献２参照）。
【発明の概要】
【発明が解決しようとする課題】
【０００５】
特許文献２に開示された技術では、伝送端末の利用者は、会議が行われるセッションに参加する前やセッションから退出した後等に、伝送端末の宛先リストに登録されている２つの伝送端末に対して、互いの宛先リストに情報を登録させることができる。
【０００６】
一方、伝送端末の利用者が、セッションに参加中に、伝送端末の宛先リストに登録されている２つの伝送端末の宛先リストに、互いの情報を登録したいという要求がある。しかし、従来の技術では、伝送端末の利用者が、セッションに参加中に、伝送端末の宛先リストに登録されている２つの伝送端末の宛先リストに、互いの情報を登録することには困難を伴っていた。
【０００７】
本発明の実施の形態は、上記問題点に鑑みてなされたものであって、伝送端末の利用者が、セッションに参加中に、伝送端末の宛先リストに登録されている２つの伝送端末の宛先リストに、互いの情報を登録することを容易にすることを目的とする。
【課題を解決するための手段】
【０００８】
上記課題を解決するため、本発明の一実施形態に係る伝送管理装置は、複数の伝送端末間でデータの伝送を行うセッションを管理する伝送管理装置であって、
伝送端末毎に、前記セッションの宛先の候補となる１つ以上の伝送端末の情報を記憶した宛先リストを管理する宛先リスト管理部と、前記伝送端末毎に、該伝送端末の端末情報を管理する端末情報管理部と、前記セッションに参加している前記伝送端末の情報を管理するセッション管理部と、前記セッションに参加している第１の伝送端末に、前記セッションに参加している他の伝送端末のうち、前記第１の伝送端末の前記宛先リストに登録されている前記伝送端末である登録済端末の前記端末情報を含む参加端末情報を通知する第１の通知部と、前記第１の伝送端末から、前記登録済端末の中から選択された第２の伝送端末の情報を受け付けた場合、前記第１の伝送端末の前記宛先リストに登録されている前記伝送端末のうち、前記第２の伝送端末の前記宛先リストに登録されていない前記伝送端末である未登録端末の前記端末情報を含む候補端末情報を、前記第１の伝送端末に通知する第２の通知部と、前記第１の伝送端末から、前記未登録端末の中から選択された第３の伝送端末の情報を受け付けた場合、前記第２の伝送端末の前記宛先リストへの前記第３の伝送端末の情報の登録、及び前記第３の伝送端末の前記宛先リストへの前記第２の伝送端末の情報の登録を行う登録処理の制御を行う登録制御部と、を有する。
【発明の効果】
【０００９】
本発明の実施の形態によれば、伝送端末の利用者が、セッションに参加中に、伝送端末の宛先リストに登録されている２つの伝送端末の宛先リストに、互いの情報を登録することを容易にすることができる。
【図面の簡単な説明】
【００１０】
【図１】一実施形態に係る伝送システムの概略図である。
【図２】一実施形態に係る伝送システムにおける通信の概念図である。
【図３】一実施形態に係る画像データの画質を説明する概念図である。
【図４】一実施形態に係る端末のハードウェア構成の例を示す図である。
【図５】一実施形態に係る伝送管理装置のハードウェア構成の例を示す図である。
【図６】一実施形態に係る端末、及び伝送管理装置の機能構成図である。
【図７】一実施形態に係る伝送管理装置が管理する情報の例を示す図である。
【図８】一実施形態に係る準備段階の処理の例を示すシーケンス図である。
【図９】第１の実施形態に係る端末の選択処理の例を示すシーケンス図である。
【図１０】第１の実施形態に係る端末の表示画面の例を示す図（１）である。
【図１１】第１の実施形態に係る端末の表示画面の例を示す図（２）である。
【図１２】第１の実施形態に係る登録処理１の例を示すシーケンス図である。
【図１３】第１の実施形態に係る登録処理２の例を示すシーケンス図である。
【図１４】第１の実施形態に係る登録処理３の例を示すシーケンス図である。
【図１５】第２の実施形態に係る登録処理の例を示すシーケンス図である。
【発明を実施するための形態】
【００１１】
＜システム構成＞
初めに本実施形態に係る伝送システムのシステム構成について説明する。
【００１２】
図１は、一実施形態に係る伝送システムの概略図である。図２は、一実施形態に係る伝送システムにおける通信の概念図である。図３は、一実施形態に係る画像データの画質を説明する概念図である。
【００１３】
伝送システムには、伝送管理装置を介して一方の伝送端末から他方の伝送端末に一方向でコンテンツデータを伝送するデータ提供システムが含まれる。また、伝送システムには、伝送管理装置を介して複数の伝送端末間で情報を相互に伝達するコミュニケーションシステム等が含まれる。
【００１４】
このコミュニケーションシステムは、コミュニケーション管理システム（「伝送管理装置」に相当）を介して複数のコミュニケーション端末（「伝送端末」に相当）間で情報を相互に伝達するためのシステムである。コミュニケーションシステムの例としては、例えば、ビデオ会議システム、テレビ電話システム、音声会議システム、音声電話システム、ＰＣ(Personal Computer)画面共有システム等の遠隔会議が挙げられる。
【００１５】
本実施形態では、コミュニケーションシステムの一例としてのビデオ会議システム、コミュニケーション管理システムの一例としてのビデオ会議管理システム、及びコミュニケーション端末の一例としてのビデオ会議端末を想定する。なお、ビデオ会議は、会議の一例である。
【００１６】
以下では、伝送システム１をビデオ会議システム、伝送管理装置５０をビデオ会議管理装置、及び伝送端末１０をビデオ会議端末として説明する。即ち、実施例における伝送システムは、ビデオ会議システムに適用されるだけでなく、コミュニケーションシステムや伝送システムなどにも適用される。
【００１７】
図１に示す伝送システム１は、複数の伝送端末（１０ａａ、１０ａｂ、・・・）、各伝送端末（１０ａａ、１０ａｂ、・・・）用のディスプレイ（１２０ａａ、１２０ａｂ、・・・）、中継装置３０、伝送管理装置５０、及びプログラム提供装置９０を含む。
【００１８】
複数の伝送端末（１０ａａ、１０ａｂ、・・・）は、伝送端末間で映像データを送受信（伝送）する。映像データには、例えば、動画データ又は静止画データ、音データ等が含まれる。
【００１９】
なお、以下の説明の中で、「伝送端末」を単に「端末」として表す。また、複数の端末（１０ａａ、１０ａｂ、・・・）のうち任意の端末を「端末１０」と表す。さらに、複数のディスプレイ（１２０ａａ、１２０ａｂ、・・・）のうち任意のディスプレイを「ディスプレイ１２０」と表す。さらにまた、通信の開始を要求する要求元としての端末を「要求元端末」と表し、要求先である宛先（中継先）としての端末は「宛先端末」と表す。
【００２０】
図２に示されているように、伝送システム１において、要求元端末と宛先端末との間では、伝送管理装置５０を介して、各種の管理情報を送受信するための管理情報用セッションｓｅｉが確立される。また、要求元端末と宛先端末との間では、中継装置３０を介して、高解像度の画像データ、中解像度の画像データ、低解像度の画像データ、及び音声データの４つの各データを送受信するための４つのセッションが確立される。ここでは、これら４つのセッションをまとめて、画像・音声データ用セッションｓｅｄ（通信セッション）として示している。
【００２１】
ここで、本実施形態で扱われる画像データの画像の解像度について説明する。低解像度の画像の画像は、例えば、図３（ａ）に示されているように、横が１６０画素、縦が１２０画素から成り、ベース画像となる。また、中解像度の画像は、例えば、図３（ｂ）に示されているように、横が３２０画素、縦が２４０画素から成る。さらに、高解像度の画像の画像は、例えば、図３（ｃ）に示されているように、横が６４０画素、縦が４８０画素から成る。
【００２２】
このうち、狭帯域経路を経由する場合には、ベース画像となる低解像度の画像データのみから成る低画質の画像データが、中継装置３０により中継される。帯域が比較的広い場合には、ベース画像となる低解像度の画像データ、及び中解像度の画像データから成る中画質の画像データが、中継装置３０により中継される。また、帯域が非常に広い場合には、ベース画質となる低解像度の画像データ、中画解像度の画像データ、及び高解像度の画像データから成る高画質の画像データが、中継装置３０により中継される。
【００２３】
図１に戻り、伝送システム１のシステム構成の説明を続ける。
【００２４】
端末（伝送端末）１０は、他の装置（端末）との間で、各種情報を送受信する。端末１０は、例えば、他の端末１０との間で通信セッション（画像・音声データ用セッションｓｅｄ）を確立し、確立した通信セッションにおいて、音データ、画像データ等を含むコンテンツデータの送受信による通信を行う。これにより、伝送システム１において、複数の端末１０間のビデオ会議が実現される。
【００２５】
以下、「画像データ及び音データ」を「コンテンツデータ」として表す。なお、端末１０間で伝送されるコンテンツデータは、実施例に限定されるものではない。他の例としては、コンテンツデータは、テキストデータであっても良く、また、他の例としては、コンテンツデータは、音データ、画像データに加えてテキストデータを含むものであっても良い。また、画像データは、動画であっても良く、静止画であっても良い。また、画像データは、動画と静止画の両方を含んでいても良い。
【００２６】
また、本実施形態に係る伝送システム１において、ビデオ会議を開始する場合、開始を希望するユーザが、所定の端末１０を操作することにより、操作された端末１０は、開始要求情報を伝送管理装置５０に送信する。
【００２７】
ここで、開始要求情報とは、ビデオ会議に用いるセッションの開始を要求する情報であって、セッション相手としての端末１０を指定する情報を含む。
【００２８】
なお、宛先端末（セッション相手）は、１つの端末１０であってもよく、２以上の端末１０であっても良い。すなわち、伝送システム１においては、２つの端末１０間だけでなく、３つ以上の端末１０間で確立されたセッションを用いたビデオ会議を実現することができる。
【００２９】
さらに、本実施形態に係る伝送システム１においては、既にセッションが確立され、開始しているビデオ会議に、途中から他のユーザが参加することも可能である。参加を希望するユーザが、所定の端末１０を操作することにより、操作された端末１０は、参加を希望するビデオ会議に用いられている、確立中のセッション（以下、確立中セッションと称する）を指定した、参加要求情報を伝送管理装置５０に送信する。なお、以下の説明の中で、参加要求情報を送信する端末１０を「参加要求端末」と表す。
【００３０】
伝送管理装置５０は、端末１０及び中継装置３０を一元的に管理する情報処理装置、又は複数の情報処理装置を含むシステムである。伝送管理装置５０は、端末１０間での通信セッションを確立することにより、端末１０間における通信によるビデオ会議を実現する。
【００３１】
伝送管理装置５０は、要求元端末から通信セッションの開始要求情報を受信した場合に、要求元端末と宛先端末の間の通信セッションを確立し、ビデオ会議を開始させる。伝送管理装置５０は、また、所定の端末１０から既に確立しているセッション（以下、確立中セッションと称する）への参加要求情報を受信した場合に、参加要求端末を、確立中セッションに参加させる。
【００３２】
また、図１に示されている複数のルータ（７０ａ、７０ｂ、７０ｃ、７０ｄ、７０ａｂ、７０ｃｄ）は、コンテンツデータの最適な経路の選択を行う。なお、以下の説明の中で、ルータ（７０ａ、７０ｂ、７０ｃ、７０ｄ、７０ａｂ、７０ｃｄ）のうち任意のルータを示す場合には「ルータ７０」を用いる。
【００３３】
中継装置３０は、複数の端末１０の間で、コンテンツデータの中継を行う。
【００３４】
プログラム提供装置９０は、端末１０に各種機能又は各種手段を実現させるための端末用プログラムが記憶された、後述するＨＤ（Hard Disk）を備えており、端末１０に、端末用プログラムを送信することができる。
【００３５】
また、プログラム提供装置９０のＨＤには、中継装置３０に各種機能又は各種手段を実現させるための中継装置用プログラムも記憶されており、中継装置３０に、中継装置用プログラムを送信することができる。
【００３６】
さらに、プログラム提供装置９０のＨＤには、伝送管理装置５０に各種機能又は各種手段を実現させるための伝送管理用プログラムも記憶されており、伝送管理装置５０に、伝送管理用プログラムを送信することができる。
【００３７】
また、端末（１０ａａ、１０ａｂ、１０ａｃ、・・・）、及びルータ７０ａは、ＬＡＮ２ａによって通信可能に接続されている。端末（１０ｂａ、１０ｂｂ、１０ｂｃ、・・・）、及びルータ７０ｂは、ＬＡＮ２ｂによって通信可能に接続されている。また、ＬＡＮ２ａ及びＬＡＮ２ｂは、ルータ７０ａｂが含まれた専用線２ａｂによって通信可能に接続されており、所定の地域Ａ内で構築されている。例えば、地域Ａは日本であり、ＬＡＮ２ａは東京の事業所内で構築されていると共に、ＬＡＮ２ｂは大阪の事業所内で構築されている。
【００３８】
一方、端末（１０ｃａ、１０ｃｂ、１０ｃｃ、・・・）、及びルータ７０ｃは、ＬＡＮ２ｃによって通信可能に接続されている。端末（１０ｄａ、１０ｄｂ、１０ｄｃ、・・・）、及びルータ７０ｄは、ＬＡＮ２ｄによって通信可能に接続されている。また、ＬＡＮ２ｃ及びＬＡＮ２ｄは、ルータ７０ｃｄが含まれた専用線２ｃｄによって通信可能に接続されており、所定の地域Ｂ内で構築されている。例えば、地域Ｂはアメリカであり、ＬＡＮ２ｃはニューヨークの事業所内で構築されていると共に、ＬＡＮ２ｄはワシントンＤ．Ｃ．の事業所内で構築されている。地域Ａ及び地域Ｂは、それぞれルータ（７０ａｂ，７０ｃｄ）からインターネット２ｉを介して通信可能に接続されている。
【００３９】
また、伝送管理装置５０、プログラム提供装置９０、及び中継装置３０は、インターネット２ｉを介して、端末１０と通信可能に接続されている。伝送管理装置５０、中継装置３０、及びプログラム提供装置９０は、地域Ａ又は地域Ｂに設置されていても良いし、これら以外の地域に設置されていても良い。
【００４０】
なお、図１の例では、ＬＡＮ２ａ、ＬＡＮ２ｂ、専用線２ａｂ、インターネット２ｉ、専用線２ｃｄ、ＬＡＮ２ｃ、及びＬＡＮ２ｄによって、伝送ネットワーク２が構築されている。この伝送ネットワーク２には、有線だけでなく無線による通信が行われる箇所があっても良い。
【００４１】
また、図１に示す例において、各端末１０、中継装置３０、伝送管理装置５０、各ルータ７０、及びプログラム提供装置９０の下に示されている４組の数字は、一般的なＩＰｖ４におけるＩＰアドレスを簡易的に示す。例えば、端末１０ａａのＩＰアドレスは「１．２．１．３」である。また、ＩＰｖ４ではなく、ＩＰｖ６を用いても良いが、説明を簡略化するため、ＩＰｖ４を用いて説明する。
【００４２】
＜ハードウェア構成＞
次に、本実施形態のハードウェアの構成を説明する。
【００４３】
（端末のハードウェア構成）
図４は、一実施形態に係る端末のハードウェア構成の例を示す図である。端末１０は、一般的なコンピュータの構成を含み、例えば、ＣＰＵ（Central Processing Unit)１０１、ＲＯＭ（Read Only Memory)１０２、ＲＡＭ(Random Access Memory)１０３、フラッシュメモリ１０４、及びＳＳＤ（Solid State Drive）１０５を有する。また、端末１０は、メディアドライブ１０７、操作ボタン１０８、電源スイッチ１０９、ネットワークＩ／Ｆ(Interface)１１１、カメラ１１２、撮像素子Ｉ／Ｆ１１３、マイク１１４、スピーカ１１５、及び音声入出力Ｉ／Ｆ１１６を有する。さらに、端末１０は、ディスプレイＩ／Ｆ１１７、外部機器接続Ｉ／Ｆ１１８、アラームランプ１１９、及びバス１１０等を有する。
【００４４】
ＣＰＵ１０１は、例えば、ＲＯＭ１０２や、フラッシュメモリ１０４等からプログラムやデータを読出し、処理を実行することで、端末１０が備える各機能を実現する演算装置である。ＲＯＭ１０２は、例えば、ＩＰＬ（Initial Program Loader）等のＣＰＵ１０１の起動に用いられるプログラム等を予め記憶した不揮発性のメモリである。ＲＡＭ１０３は、ＣＰＵ１０１のワークエリア等として利用される揮発性のメモリである。
【００４５】
フラッシュメモリ１０４は、例えば、ＯＳ（Operating System）、アプリケーションプログラム、及び各種のデータ等を記憶するストレージデバイスである。ＳＳＤ１０５は、ＣＰＵ１０１の制御に従ってフラッシュメモリ１０４に対する各種データの読み出し、書き込みを制御する。メディアドライブ１０７は、例えば、メモリカード等の記録メディア１０６に対するデータの読み出し又は書き込み（記憶）を制御する。
【００４６】
操作ボタン１０８は、端末１０の利用者の入力操作を受け付ける入力装置である。電源スイッチ１０９は、端末１０の電源のオン／オフを切り替えるためのスイッチである。ネットワークＩ／Ｆ１１１は、伝送ネットワーク２を利用して通信するための通信インタフェースである。
【００４７】
カメラ１１２は、ＣＰＵ１０１の制御に従って被写体を撮像するための撮像装置である。撮像素子Ｉ／Ｆ１１３は、カメラ１１２による撮像を制御すると共に、撮像したデータを所定の画像データ（映像データ）に変換する。マイク１１４は、収音した音声を電気信号に変換する。スピーカ１１５は、音声信号を音声に変換して出力する。音声入出力Ｉ／Ｆ１１６は、マイク１１４及びスピーカ１１５による音声の入出力を制御する。
【００４８】
ディスプレイＩ／Ｆ１１７は、ＣＰＵ１０１の制御に従って、ディスプレイ１２０に画像データを伝送する。外部機器接続Ｉ／Ｆ１１８は、各種の外部機器を接続するためのインタフェースである。アラームランプ１１９は、端末１０の各種機能の異常を知らせる発光デバイスである。バス１１０は、上記の各構成に共通に接続され、アドレス信号、データ信号、及び各種の制御信号等を伝達する。
【００４９】
ディスプレイ１２０は、被写体の画像や操作用アイコン等を表示する液晶や有機ＥＬによって構成された表示部である。また、ディスプレイ１２０は、ケーブル１２０ｃによってディスプレイＩ／Ｆ１１７に接続される。
【００５０】
カメラ１１２は、レンズや、光を電荷に変換して被写体の画像（映像）を電子化する固体撮像素子を含み、固体撮像素子として、ＣＭＯＳ（Complementary Metal Oxide Semiconductor）や、ＣＣＤ（Charge Coupled Device）等が用いられる。
【００５１】
外部機器接続Ｉ／Ｆ１１８には、図３に示されている筐体１１００の接続口１１３２に差し込まれたＵＳＢ(Universal Serial Bus)ケーブル等によって、外付けカメラ、外付けマイク、及び外付けスピーカ等の外部機器がそれぞれ電気的に接続可能である。
【００５２】
外付けカメラが接続された場合には、ＣＰＵ１０１の制御に従って、内蔵型のカメラ１１２に優先して、外付けカメラが駆動する。同じく、外付けマイクが接続された場合や、外付けスピーカが接続された場合には、ＣＰＵ１０１の制御に従って、それぞれが内蔵型のマイク１１４や内蔵型のスピーカ１１５に優先して、外付けマイクや外付けスピーカが駆動する。
【００５３】
なお、記録メディア１０６は、端末１０に対して着脱自在な構成となっている。また、ＣＰＵ１０１の制御に従ってデータの読み出し又は書き込みを行う不揮発性メモリであれば、フラッシュメモリ１０４に限らず、ＥＥＰＲＯＭ（Electrically Erasable and Programmable ROM）等を用いても良い。
【００５４】
さらに、上記の端末用プログラムは、インストール可能な形式又は実行可能な形式のファイルによって、コンピュータで読み取り可能な記録媒体（記録メディア１０６等）に記録されて流通されるようにしても良い。また、上記端末用プログラムは、フラッシュメモリ１０４ではなくＲＯＭ１０２に記憶させるようにしても良い。
【００５５】
（伝送管理装置のハードウェア構成）
図５は、一実施形態に係る伝送管理装置のハードウェア構成図である。伝送管理装置５０は、一般的なコンピュータのハードウェア構成を有する情報処理装置、又は複数の情報処理装置を含むシステムである。伝送管理装置５０は、例えば、ＣＰＵ２０１、ＲＯＭ２０２、ＲＡＭ２０３、ＨＤ２０４、ＨＤＤ（Hard Disk Drive）２０５、メディアドライブ２０７、及びディスプレイ２０８、ネットワークＩ／Ｆ２０９、キーボード２１１、マウス２１２、ＣＤ−ＲＯＭ（Compact Disc）ドライブ２１４、及びバス２１０等を有する。
【００５６】
ＣＰＵ２０１は、例えば、ＲＯＭ２０２、ＨＤ２０４等に格納されたプログラムやデータを読出し、処理を実行することにより、伝送管理装置５０が備える各機能を実現する演算装置である。ＲＯＭ２０２は、例えば、ＩＰＬ等のＣＰＵ２０１の起動に用いられるプログラム等を予め記憶した不揮発性のメモリである。ＲＡＭ２０３は、ＣＰＵ２０１のワークエリア等として利用される揮発性のメモリである。
【００５７】
ＨＤ２０４は、例えば、ＯＳや、アプリケーションプログラム等のプログラムや、各種のデータを記憶するストレージデバイスである。ＨＤＤ２０５は、ＣＰＵ２０１の制御に従って、ＨＤ２０４に対する各種データの読み出し又は書き込みを制御する。ディスプレイ２０８は、例えば、カーソル、メニュー、ウィンドウ、文字、又は画像等の各種の情報を表示する表示装置である。
【００５８】
ネットワークＩ／Ｆ２０９は、伝送ネットワーク２を利用してデータ通信を行うための通信インタフェースである。キーボード２１１は、利用者による文字、数値、各種指示などの入力操作を受け付けるための入力装置の一例である。マウス２１２は、利用者による各種指示の選択や実行、処理対象の選択、カーソルの移動等の操作を受け付けるポインティングデバイスの一例である。
【００５９】
メディアドライブ２０７は、例えば、メモリカード等の記録メディア２０６に対するデータの読み出しや、書き込み（記憶）を制御する。ＣＤ−ＲＯＭドライブ２１４は、着脱可能な記録媒体の一例としての各種のＣＤ−ＲＯＭ２１３に対するデータの読み出し又は書き込みを制御する。バス２１０は、上記の各構成要素を電気的に接続し、アドレス信号、データ信号、及び各種の制御信号等を伝達する。
【００６０】
なお、上記の伝送管理装置５０のハードウェア構成はあくまで一例である。例えば、ディスプレイ２０８、キーボード２１１、マウス２１２等は、伝送管理装置５０の外部に外付けされているものであっても良い。
【００６１】
また、上記の伝送管理装置５０用のプログラムは、インストール可能な形式又は実行可能な形式のファイルで、上記記録メディア２０６やＣＤ−ＲＯＭ２１３等のコンピュータで読み取り可能な記録媒体に記録して流通させるようにしても良い。また、上記の伝送管理装置５０用のプログラムは、ＨＤ２０４に記憶するものであっても良いし、予めＲＯＭ２０２に記憶されたもの等であっても良い。
【００６２】
また、中継装置３０は、上記伝送管理装置５０と同様のハードウェア構成を有しているため、その説明を省略する。ただし、ＨＤ２０４には、中継装置３０を制御するための中継装置３０用のプログラムが記録されている。この場合も、中継装置用プログラムは、インストール可能な形式又は実行可能な形式のファイルで、上記記録メディア２０６やＣＤ−ＲＯＭ２１３等のコンピュータで読み取り可能な記録媒体に記録して流通させるようにしても良い。
【００６３】
さらに、プログラム提供装置９０は、上記伝送管理装置５０と同様のハードウェア構成を有しているため、その説明を省略する。ただし、ＨＤ２０４には、プログラム提供装置９０を制御するためのプログラム提供用プログラムが記録されている。この場合も、プログラム提供用プログラムは、インストール可能な形式又は実行可能な形式のファイルで、上記記録メディア２０６やＣＤ−ＲＯＭ２１３等のコンピュータで読み取り可能な記録媒体に記録して流通させるようにしても良い。
【００６４】
なお、上記着脱可能な記録媒体の他の例として、ＣＤ−Ｒ（Compact Disc Recordable）、ＤＶＤ（Digital Versatile Disk）、ブルーレイディスク等のコンピュータで読み取り可能な記録媒体に記録して提供するように構成しても良い。
【００６５】
＜機能構成＞
図６は、一実施形態に係る端末、及び伝送管理装置の機能構成図である。図６に示すように、端末１０、中継装置３０及び伝送管理装置５０は、伝送ネットワーク２を介して、互いに通信可能に接続されている。なお、図１に示したプログラム提供装置９０は、本実施形態に係る通信に直接関係しないため、図６では図示が省略されている。
【００６６】
《伝送管理装置の機能構成》
伝送管理装置（伝送管理システム）５０は、送受信部５１、認証部５２、端末情報管理部５３、端末抽出部５４、端末状態取得部５５、宛先リスト管理部５６、会議管理部５７、第１の通知部５８、第２の通知部５９、登録制御部６０、及び記憶・読出部６１等を有する。これらの各部は、例えば、ＨＤ２０４からＲＡＭ２０３上に展開された伝送管理用プログラムを、ＣＰＵ２０１が実行することによって実現される機能である。また、伝送管理装置５０は、例えば、ＨＤ２０４等により構成される記憶部５０００を有する。
【００６７】
ここで、伝送管理装置５０が、記憶部５０００に記憶して管理する情報について説明する。図７は、一実施形態に係る伝送管理装置が管理する情報の例を示す図である。
【００６８】
（認証管理テーブル）
伝送管理装置５０の記憶部に記憶された認証管理ＤＢ（Database）５００２には、例えば、図７（ａ）に示されているような認証管理テーブル７０１が含まれる。認証管理テーブル７０１では、伝送管理装置５０によって管理される各端末１０を識別する識別情報である端末ＩＤに対して、対応するパスワードが関連付けられて管理されている。例えば、図７（ａ）に示した認証管理テーブル７０１は、端末ＩＤ「０１ａａ」に対応するパスワードが「ａａａａ」であることを示している。
【００６９】
（宛先リスト管理テーブル）
伝送管理装置５０の記憶部に記憶された宛先リスト管理ＤＢ５００４には、例えば、図７（ｂ）に示されるような宛先リスト管理テーブル７０２が含まれる。宛先リスト管理テーブル７０２では、要求元端末の端末ＩＤである要求元端末ＩＤ毎に、セッションの宛先の候補となる１つ以上の宛先端末の端末ＩＤである宛先端末ＩＤの情報が記憶されている。例えば、図７（ｂ）に示した宛先リスト管理テーブル７０２は、端末ＩＤが「０１ａｂ」である端末１０からビデオ会議の開始を要求することのできる宛先端末は、端末ＩＤが「０１ａａ」、「０１ｄｂ」、「０１ｅｂ」の端末１０であることが示されている。宛先端末の候補は、例えば、端末１０から伝送管理装置５０に対してなされる登録要求に応じて、登録制御部６０によって、追加又は削除される。
【００７０】
（端末情報管理テーブル）
伝送管理装置５０の記憶部に記憶された端末情報管理ＤＢ５００３には、例えば、図７（ｃ）に示されるような端末情報管理テーブル７０３が含まれる。端末情報管理テーブル７０３では、各端末１０の端末ＩＤ毎に、端末名、稼動状態、受信日時、端末のＩＰアドレス、及び紹介設定情報等の情報（端末情報）が記憶されている。
【００７１】
端末ＩＤは、端末１０を識別する識別情報であり、例えば、端末１０が伝送システム１に登録されるときに、ユニークに割り当てられる。端末名は、伝送管理装置５０の管理者等によって登録又は変更される。なお、端末名は、端末１０から伝送管理装置５０に対してなされる要求に応じて、登録又は変更されても良い。
【００７２】
稼動状態は、端末１０の稼動状態を示す情報である。例えば、「オンライン（通信可能）」は、端末１０が伝送システム１にログインした状態で、ビデオ会議に参加していない状態であることを表す。「オンライン（通信中）」は、端末１０が伝送システム１にログインした状態で、ビデオ会議に参加している状態であることを表す。「オフライン」は、端末１０が伝送システム１にログインしていない状態であることを表す。
【００７３】
受信日時は、伝送システム１にログインするためのログイン要求情報を、伝送管理装置５０が各端末１０から受信した日時である。端末のＩＰアドレスは、端末ＩＤに対応する端末１０のＩＰアドレスである。
【００７４】
紹介設定情報は、端末ＩＤに対応する端末１０が、「紹介可」であるか、「要承認」であるか、「紹介不可」であるかを示す情報であり、管理者、又は端末１０の利用者等により、予め設定されているものとする。
【００７５】
なお、本実施形態では、会議に参加中の端末１０への操作により、端末１０の宛先リストに登録されている２つの伝送端末の宛先リストに、互いの情報（端末ＩＤ等）を登録することを「紹介」と呼ぶ。例えば、第１の端末の利用者は、第１の端末の宛先リストに登録されている第２の端末と第３の端末とを選択して登録操作を行うことにより、第２の端末の宛先リストに第３の端末を登録し、第３の端末の宛先リストに第２の端末を登録（紹介）することができる。
【００７６】
紹介設定情報は、端末ＩＤに対応する端末１０が、紹介操作による宛先リストへの情報の登録が許可されている（紹介可）か、宛先リストへの情報の登録に承認を要する（要承認）か、宛先リストへの情報の登録が禁止されている（紹介不可）か、を示している。
【００７７】
例えば、図８（ａ）に示した端末情報管理テーブル７０３は、端末ＩＤが「０１ａａ」の端末１０が、端末名が「日本  東京事業所  ＡＡ端末」で、稼動状態が「オンライン（通信中）」であることを示している。また、端末ＩＤが「０１ａａ」の端末１０からログイン要求情報を受信した日時が「２０ｘｘ年１１月１０日の１３時４０分」で、端末１０のＩＰアドレスが「１．２．１．３」であることを示している。さらに、端末ＩＤが「０１ａａ」の端末１０は、紹介操作による宛先リストへの他の端末の登録が許可されている（紹介可である）ことを示している。
【００７８】
（会議管理テーブル）
伝送管理装置５０の記憶部５０００に記憶された会議管理ＤＢ５００５には、例えば、図７（ｄ）に示されているような会議管理テーブル７０４が含まれる。会議管理テーブル７０４には、会議を識別する識別情報である会議ＩＤ毎に、会議に参加している端末１０（以下、参加端末と呼ぶ）を識別する端末ＩＤである参加端末ＩＤが記憶されている。
【００７９】
なお、会議ＩＤは、会議が行われる通信セッションを識別するセッションＩＤの一例である。また、参加端末ＩＤは、会議が行われる通信セッションに参加している端末１０の情報の一例である。さらに、会議管理テーブル７０４は、通信セッションに参加している端末１０の情報を管理するセッション管理テーブルの一例である。
【００８０】
例えば、図７（ｄ）に示されている会議管理テーブル７０４において、会議ＩＤ「ｃｏｎｆ０１」の会議（通信セッション）には、端末ＩＤが「０１ａａ」、「０１ａｂ」、「０１ｂａ」、「０１ｂｂ」、「０１ｄｂ」の端末１０が参加していることが示されている。
【００８１】
ここで、図６に戻り、伝送管理装置５０の機能構成の説明を行う。
【００８２】
送受信部５１は、例えば、図５のネットワークＩ／Ｆ２０９、及び図５のＣＰＵ２０１で実行されるプログラム等によって実現され、伝送ネットワーク２を介して他の端末１０又は装置３０、９０と各種データや情報の送受信を行う。
【００８３】
送受信部５１は、要求元端末に対して、要求元端末に対応する宛先端末ＩＤのリストである宛先リストと、宛先リストに含まれる各端末１０の稼動状態を示す状態情報とを、伝送ネットワーク２を介して送信する。また、送受信部５１は、宛先リストに含まれる各端末１０の稼動状態が変更された場合には、その都度、最新の状態情報を要求元端末に送信する。
【００８４】
認証部５２は、例えば、図５のＣＰＵ２０１で実行されるプログラムによって実現される。認証部５２は、送受信部５１を介して受信されたログイン要求情報に含まれている端末ＩＤ及びパスワードを検索キーとして、記憶部５０００の認証管理ＤＢ５００２に含まれる認証管理テーブル７０１を検索する。また、認証部５２は、認証管理ＤＢ５００２に、ログイン要求情報に含まれている端末ＩＤ及びパスワードが管理されているかを判断することによって端末１０の認証を行う。
【００８５】
端末情報管理部５３は、端末１０毎に、各端末１０の端末情報を管理する手段であり、例えば、図５のＣＰＵ２０１で実行されるプログラムによって実現される。端末情報管理部５３は、例えば、図７（ｃ）に示すような端末情報管理テーブル７０３を、端末情報管理ＤＢ５００３に記憶して、管理する。
【００８６】
端末情報管理部５３は、ログイン要求してきた要求元端末の端末ＩＤに対して、稼動状態、伝送管理装置５０でログイン要求情報が受信された受信日時及びＩＰアドレスを関連付けて端末情報管理ＤＢ５００３に含まれる端末情報管理テーブル７０３に記憶する。例えば、利用者が端末１０の電源スイッチ１０９の状態をオンからオフにする。このとき、端末情報管理部５３は、端末１０から送られてきた、電源をオフする旨の状態情報に基づいて、端末情報管理テーブル７０３における端末１０の稼動状態をオンラインからオフラインに変更する。
【００８７】
端末抽出部５４は、例えば、図５のＣＰＵ２０１で実行されるプログラムによって実現される。端末抽出部５４は、ログイン要求した要求元端末の端末ＩＤを検索キーとして、宛先リスト管理ＤＢ５００４に含まれる宛先リスト管理テーブル７０２を検索し、要求元端末に対する宛先端末の候補の端末ＩＤを抽出する。
【００８８】
また、端末抽出部５４は、ログイン要求してきた要求元端末の端末ＩＤを検索キーとして、宛先リスト管理テーブル７０２を検索し、要求元端末の端末ＩＤを宛先端末の候補として登録している他の要求元端末の端末ＩＤも抽出する。
【００８９】
端末状態取得部５５は、例えば、図５のＣＰＵ２０１で実行されるプログラムによって実現される。端末状態取得部５５は、端末抽出部５４によって抽出された宛先端末の候補の端末ＩＤを検索キーとして、端末情報管理ＤＢ５００３に含まれる端末情報管理テーブル７０３を検索し、検出された端末ＩＤ毎に稼動状態を読み出す。
【００９０】
これにより、端末状態取得部５５は、ログイン要求してきた要求元端末に対する宛先端末の候補の稼動状態を取得することができる。また、端末状態取得部５５は、端末抽出部５４によって抽出された端末ＩＤを検索キーとして、端末情報管理ＤＢ５００３を検索し、ログイン要求してきた要求元端末の稼動状態も取得する。
【００９１】
宛先リスト管理部５６は、前述した図７（ｂ）に示されるような宛先リスト管理テーブル７０２を、宛先リスト管理ＤＢ５００４に記憶して管理する手段であり、例えば、図５のＣＰＵ２０１で実行されるプログラムによって実現される。宛先リスト管理部５６は、端末１０毎に、各端末１０の会議（通信セッション）の宛先候補となる１つ以上の端末１０の情報（宛先端末ＩＤ）を記憶した宛先リスト管理テーブル（宛先リスト）７０２を管理する。
【００９２】
会議管理部（セッション管理部）５７は、図７（ｄ）に示されるような会議管理テーブル７０４を、会議管理ＤＢ５００５に記憶して管理する手段であり、例えば、図５のＣＰＵ２０１で実行されるプログラムによって実現される。これにより、会議管理部５７は、各会議（通信セッション）に参加している端末１０の情報（端末ＩＤ等）を管理する。
【００９３】
第１の通知部５８は、会議（通信セッション）に参加している第１の端末に、会議に参加している他の端末のうち、第１の端末の宛先リストに登録されている端末である登録済端末の端末情報を含む参加端末情報を通知する。なお、端末情報には、図７（ｃ）に示すような端末情報管理テーブル７０３に記憶されている情報（例えば、端末ＩＤ、端末名、紹介設定情報等）が含まれる。
【００９４】
これにより、第１の端末は、会議に参加しているときに、会議に参加している他の端末のうち、第１の端末の宛先に登録されている登録済端末を特定することができるようになる。なお、第１の通知部５８は、例えば、図５のＣＰＵ２０１で実行されるプログラムによって実現される。
【００９５】
第２の通知部５９は、第１の端末から、前述した登録済端末の中から選択された第２の端末の情報を受け付けた場合、第１の端末の宛先リストに登録されている端末のうち、第２の端末の宛先リストに登録されていない端末である未登録端末を特定する。また、第２の通知部５９は、特定した未登録端末の端末情報を含む候補端末情報を、第１の端末に通知する。
【００９６】
これにより、第１の端末は、第２の端末に紹介可能な端末である未登録端末を特定することができるようになる。なお、第２の通知部５９は、例えば、図５のＣＰＵ２０１で実行されるプログラムによって実現される。
【００９７】
なお、第１の通知部５８と第２の通知部５９とは、同じ通知部であっても良いし、異なる通知部であっても良い。また、第１の通知部５８、又は第２の通知部５９は、登録制御部６０に含まれていても良い。
【００９８】
登録制御部６０は、第１の端末から、第１の端末に通知した未登録端末の中から選択された第３の端末の情報を受け付けた場合、第２の端末と第３の端末との間で、宛先リストに互いの情報を登録する登録処理（紹介）を制御する。登録制御部６０は、例えば、図５のＣＰＵ２０１で実行されるプログラムによって実現される。
【００９９】
一例として、第２の端末の紹介設定情報、及び第３の端末の紹介設定情報が「紹介可」である場合、登録制御部６０は、第２の端末の宛先リストに第３の端末の端末ＩＤを登録し、第３の端末の宛先リストに第２の端末の端末ＩＤを登録する。
【０１００】
なお、登録制御部６０による登録処理の具体的な制御方法については、図１２〜１４を用いて後述する。
【０１０１】
記憶・読出部６１は、例えば、図５のＨＤＤ２０５、及び図５のＣＰＵ２０１で実行されるプログラム等によって実現され、記憶部５０００に対する各種データを記憶、及び記憶部５０００に記憶された各種データの読出等を実行する。
【０１０２】
《端末の機能構成》
端末１０は、送受信部１１、操作入力受付部１２、ログイン要求部１３、撮像部１４、音入力部１５、音出力部１６、表示制御部１７、要求情報送信部１８、及び記憶・読出部１９等を有する。上記の各部は、例えば、フラッシュメモリ１０４からＲＡＭ１０３上に展開された端末制御プログラムが、ＣＰＵ１０１で実行されることにより実現される機能である。また、端末１０は、ＲＡＭ１０３、フラッシュメモリ１０４等によって構成される記憶部１０００を有する。
【０１０３】
送受信部１１は、例えば、図４に示されているＣＰＵ１０１で実行されるプログラム、及び図４に示されているネットワークＩ／Ｆ１１１等によって実現され、伝送ネットワーク２を介して他の端末、装置又はシステムと各種データ、情報等の送受信を行う。例えば、送受信部１１は、会議（通信セッション）に参加中に、伝送管理装置５０のから通知される参加端末情報や、候補端末情報を受信する受信部として機能する。
【０１０４】
また、送受信部１１は、宛先端末とビデオ会議を開始する前から、伝送管理装置５０により、ビデオ会議の接続先の候補としての各端末１０の状態を示す各状態情報の受信を開始する。状態情報は、各端末１０がオンラインかオフラインかの稼動状態を表すだけでなく、オンラインで通信可能であるか、オンラインで通信中であるか等の稼動状態を表しても良い。さらに、状態情報は、各端末１０が参加する通信セッションを識別する識別情報であるセッションＩＤ等を含んでいても良い。さらに、状態情報は、端末１０でケーブル１２０ｃが端末１０から外れていたり、音を出力するが画像は出力させなかったり、音を出力させないようにする（ＭＵＴＥ）等、様々な状態を表しても良い。
【０１０５】
操作入力受付部１２は、例えば、図４に示されているＣＰＵ１０１で実行されるプログラム、及び図４に示されている操作ボタン１０８、電源スイッチ１０９等によって実現され、利用者による各種の入力を受け付ける。例えば、利用者が、図４に示されている電源スイッチ１０９をオンにすると、図６に示されている操作入力受付部１２が電源オンを受け付けて、電源をオンに制御する。
【０１０６】
ログイン要求部１３は、例えば、図４に示されているＣＰＵ１０１で実行されるプログラムによって実現される。ログイン要求部１３は、例えば、上記電源オンの受付を契機として、送受信部１１から伝送ネットワーク２を介して伝送管理装置５０に、ログインを要求する旨を示すログイン要求情報、及び要求元端末の現時点のＩＰアドレスを自動的に送信する。また、利用者が電源スイッチ１０９をオンの状態からオフにすると、送受信部１１が伝送管理装置５０へ電源をオフする旨の状態情報を送信した後に、操作入力受付部１２が電源をオフにする。これにより、伝送管理装置５０側では、端末１０が電源オンから電源オフになったことを把握することができる。
【０１０７】
撮像部１４は、例えば、図４に示されているＣＰＵ１０１で実行されるプログラム、及び図４に示されているカメラ１１２、撮像素子Ｉ／Ｆ１１３等によって実現され、被写体を撮像して、この撮像して得た画像データを出力する。
【０１０８】
音入力部１５は、例えば、図４に示されているＣＰＵ１０１で実行されるプログラム、及び図４に示されている音声入出力Ｉ／Ｆ１１６等によって実現され、マイク１１４によって利用者の音声が音声信号に変換された後、音声信号に係る音データを入力する。
【０１０９】
音出力部１６は、例えば、図４に示されているＣＰＵ１０１で実行されるプログラム、及び図４に示されている音声入出力Ｉ／Ｆ１１６等によって実現され、音データに係る音声信号をスピーカに出力して、スピーカ１１５から音を出力させる。
【０１１０】
表示制御部１７は、例えば、図４に示されているＣＰＵ１０１で実行されるプログラム、及び図４に示されているディスプレイＩ／Ｆ１１７等によって実現され、画像データをディスプレイ１２０に表示させる。例えば、表示制御部１７は、通信の宛先を選択するための宛先選択画面を、ディスプレイ１２０等の表示部に表示させる。
【０１１１】
また、表示制御部１７は、送受信部１１が受信した参加端末情報を用いて、端末１０の宛先リストに登録されている登録済端末の情報を含む参加端末の一覧画面（第１の表示画面）を、図４のディスプレイ１２０等の表示部に表示させる。
【０１１２】
さらに、表示制御部１７は、送受信部１１が受信した候補端末情報を用いて、未登録端末の端末情報を含む未登録端末の一覧画面（第２の表示画面）を、表示部に表示させる。
【０１１３】
要求情報送信部１８は、表示制御部１７が表示部に表示させた表示画面から、利用者によって選択された情報に応じた要求情報を、伝送管理装置５０に送信する手段であり、例えば、図４に示されているＣＰＵ１０１で実行されるプログラムによって実現される。
【０１１４】
例えば、要求情報送信部１８は、表示制御部１７が表示部に表示させた参加端末の一覧画面から、利用者による第２の端末の選択操作を操作入力受付部１２が受け付けると、第２の端末の情報を含む候補端末情報の取得要求を伝送管理装置５０に送信する。
【０１１５】
また、要求情報送信部１８は、表示制御部１７が表示部に表示させた未登録端末の一覧画面から、利用者による第３の端末の選択操作を操作入力受付部１２が受け付けると、第３の端末の情報を含む登録要求を伝送管理装置５０に送信する。
【０１１６】
記憶・読出部１９は、図４に示されているＣＰＵ１０１で実行されるプログラム、及び図４に示されているＳＳＤ１０５等によって実現され、記憶部１０００に対する各種データの記憶、記憶部１０００に記憶された各種データを読出等の処理を行う。
【０１１７】
記憶部１０００は、例えば、図４のフラッシュメモリ１０４、ＲＡＭ１０３、及び図４のＣＰＵ１０１で実行されるプログラム等によって実現され、例えば、端末１０の識別するための識別情報（端末ＩＤ）、パスワード等の各種の情報を記憶する。
【０１１８】
また、記憶部１０００は、宛先端末とビデオ会議を行う際に受信される画像データ及び音データの受信バッファ等としても用いられる。
【０１１９】
＜処理の流れ＞
続いて、伝送システム１における情報処理方法の処理の流れについて説明する。
【０１２０】
（準備段階の処理）
図８は、一実施形態に係る準備段階の処理の例を示すシーケンス図である。この処理は、伝送システム１において、端末１０ａａが、ビデオ会議に参加可能な準備状態になるまでの準備段階の処理の例を示している。
【０１２１】
なお、図８において、例えば、図２で説明した管理情報用セッションｓｅｉを用いて、各情報の送受信が行われるものとする。
【０１２２】
ステップＳ２１で、端末１０ａａの利用者が、端末１０ａａの電源スイッチ１０９をオンにすると、操作入力受付部１２が電源オンを受け付けて、端末１０ａａの電源をオンに制御する。
【０１２３】
ステップＳ２２で、ログイン要求部１３は、電源オンの受付を契機として、端末１０ａａの送受信部１１から伝送ネットワーク２を介して伝送管理装置５０にログインを要求するログイン要求情報を送信する。このログイン要求情報には、ログイン要求元の端末１０ａａを識別するための要求元端末ＩＤ及びパスワードが含まれている。この要求元端末ＩＤ及びパスワードは、例えば、記憶・読出部１９を介して、記憶部１０００から読み出される。なお、端末１０ａａから送信されたログイン要求情報が伝送管理装置５０に受信されたときには、伝送管理装置５０は、送信側である端末１０ａａのＩＰアドレスを把握することができる。
【０１２４】
ステップＳ２３で、伝送管理装置５０の認証部５２は、送受信部５１を介して受信したログイン要求情報に含まれている端末ＩＤ及びパスワードを検索キーとして、端末認証を行う。認証部５２は、記憶部５０００の認証管理ＤＢ５００２に含まれる認証管理テーブル７０１を検索し、認証管理ＤＢ５００２に検索キーと同一の端末ＩＤ及びパスワードが管理されているかを判断することによって端末認証を行う。
【０１２５】
ここで、認証部５２によって、検索キーと同一の端末ＩＤ及びパスワードが管理されていないと判断された場合、すなわち、正当な利用権限を有する端末１０からのログイン要求でないと判断されたとする。このとき、送受信部５１は、認証部５２によって得られた認証結果を表す認証結果情報をログイン要求してきた端末１０ａａに伝送ネットワーク２を介して送信し、準備段階の動作は終了する。
【０１２６】
一方、認証部５２によって、検索キーと同一の端末ＩＤ及びパスワードが管理されていると判断された場合、すなわち、正当な利用権限を有する端末１０からのログイン要求であると判断されたとする。このとき、ステップＳ２４において、端末情報管理部５３は、端末情報管理ＤＢ５００３含まれる端末情報管理テーブル７０３に、端末１０ａａの端末ＩＤ、端末１０ａａのＩＰアドレス、稼動状態、受信日時などを関連付けて記憶する。
【０１２７】
ステップＳ２５で、伝送管理装置５０の送受信部５１は、認証部５２によって得られた認証結果を表す認証結果情報をログイン要求してきた端末１０ａａに伝送ネットワーク２を介して送信する。
【０１２８】
ステップＳ２６で、伝送管理装置５０の端末抽出部５４は、端末１０ａａの端末ＩＤを検索キーとして、宛先リスト管理ＤＢ５００４に含まれる宛先リスト管理テーブル７０２を検索し、端末１０ａａに対する宛先端末の候補の端末ＩＤを抽出する。
【０１２９】
ステップＳ２７で、伝送管理装置５０の端末状態取得部５５は、端末抽出部５４によって抽出された宛先端末の候補の端末ＩＤを検索キーとする。端末状態取得部５５は、検索キーを用いて端末情報管理ＤＢ５００３に含まれる端末情報管理テーブル７０３を検索し、端末抽出部５４によって抽出された端末ＩＤ毎に稼動状態「オフライン」、「オンライン（通信可能）」、「オンライン（通信中）」を読み出す。
【０１３０】
ステップＳ２８で、伝送管理装置５０の送受信部５１は、伝送ネットワーク２を介して端末１０ａａに宛先状態情報を送信する。この宛先状態情報には、例えば、ステップＳ２７で使用された検索キーとしての端末ＩＤ、及び各端末１０の稼動状態を示す状態情報等が含まれる。
【０１３１】
これにより、端末１０ａａは、宛先端末の候補である端末の現時点における稼動状態「オフライン」、「オンライン（通信可能）」、「オンライン（通信中）」を把握することができる。
【０１３２】
ステップＳ２９で、伝送管理装置５０の端末抽出部５４は、ログイン要求してきた端末１０ａａの端末ＩＤを検索キーとする。端末抽出部５４は、検索キーを用いて宛先リスト管理ＤＢ５００４に含まれる宛先リスト管理テーブル７０２を検索し、端末１０ａａの端末ＩＤを宛先端末の候補として登録している他の端末の端末ＩＤを抽出する。
【０１３３】
ステップＳ３０で、伝送管理装置５０の端末情報管理部５３は、ログイン要求してきた端末１０ａａの端末ＩＤを検索キーとする。端末情報管理部５３は、検索キーを用いて端末情報管理ＤＢ５００３に含まれる端末情報管理テーブル７０３を検索し、ログイン要求してきた端末１０ａａの稼動状態「オンライン（通信可能）」を取得する。
【０１３４】
ステップＳ３１−１，Ｓ３１−２で、伝送管理装置５０の送受信部５１は、ステップＳ２９で抽出された端末ＩＤのうち、例えば、図８（ａ）に示す端末情報管理テーブル７０３で、稼動状態がオンラインとなっている端末ＩＤを抽出する。また、送受信部５１は、抽出された端末ＩＤに対応する端末１０（例えば、端末１０ｂａ、端末１０ｄｂ）に、要求元端末（端末１０ａａ）の端末ＩＤと、稼動状態「オンライン（通信可能）」とを含む状態情報を送信する。
【０１３５】
これにより、ログイン要求してきた端末１０ａａを宛先端末として指定して伝送することができる端末１０（例えば、端末１０ｄｂ、１０ｂａ）に、ログイン要求してきた端末１０ａａの端末ＩＤ及び稼動状態「オンライン（通信中）」を伝えることができる。
【０１３６】
続いて、本実施形態に係る紹介処理（登録処理）の流れについて説明する。
【０１３７】
［第１の実施形態］
（登録する端末の選択処理）
図９は、第１の実施形態に係る端末の選択処理の例を示すシーケンス図である。この処理は、伝送システム１で開催される会議（通信セッション）に参加している複数の端末１０のうち、１つの端末１０Ａ（第１の伝送端末）が、会議中に、「紹介」を行う端末１０Ｂ（第２の伝送端末）と、端末１０Ｃ（第３の伝送端末）とを選択する処理の例を示している。なお、ここでは、端末１０Ａの端末ＩＤが「０１ａａ」であるものとして、以下の説明を行う。
【０１３８】
ステップＳ９０１において、端末１０Ａの操作入力受付部１２は、会議に参加している他の端末である参加端末の一覧の表示操作を、端末１０Ａの利用者から受け付ける。
【０１３９】
ステップＳ９０２において、端末１０Ａの要求情報送信部１８は、伝送管理装置５０に、参加端末の一覧を表示するための情報である参加端末情報の取得を要求する取得要求を送信する。この取得要求には、例えば、端末１０Ａの端末ＩＤ「０１ａａ」等が含まれる。
【０１４０】
ステップＳ９０３において、伝送管理装置５０の第１の通知部５８は、参加端末情報の取得要求を受け付けると、会議管理ＤＢ５００５に含まれる会議管理テーブル７０４から、端末１０Ａと同じ会議に参加している端末１０の情報（端末ＩＤ）を取得する。これにより、第１の通知部５８は、例えば、図７（ｄ）に示す会議管理テーブル７０４において、端末１０Ａ（端末ＩＤ「０１ａａ」）と同じ会議に参加している他の端末の参加端末ＩＤ「０１ａｂ」、「０１ｂａ」、「０１ｂｂ」、「０１ｄｂ」を特定することができる。
【０１４１】
ステップＳ９０４において、伝送管理装置５０の第１の通知部５８は、宛先リスト管理ＤＢ５００４に含まれる宛先リスト管理テーブル７０２から、端末１０Ａの端末ＩＤ「０１ａａ」に対応付けて記憶されている宛先端末ＩＤを取得する。これにより、第１の通知部５８は、図７（ｂ）に示す宛先リスト管理テーブル７０２において、端末１０Ａの宛先リストに登録されている宛先端末ＩＤ「０１ａｂ」、「０１ｂａ」、「０１ｂｂ」、「０１ｃａ」、「０１ｃｂ」、「０１ｄａ」、「０１ｄｂ」を特定することができる。
【０１４２】
ステップＳ９０５において、伝送管理装置５０の第１の通知部５８は、端末情報管理ＤＢ５００３に含まれる端末情報管理テーブル７０３から、端末１０Ａと同じ会議に参加している他の端末１０（以下、参加端末と呼ぶ）の端末情報を取得する。これにより、第１の通知部５８は、参加端末の端末ＩＤ、端末名、紹介設定情報等の情報を取得することができる。
【０１４３】
ステップＳ９０６において、伝送管理装置５０の第１の通知部５８は、ステップＳ９０３〜Ｓ９０５で取得した情報を用いて、端末１０Ａが参加端末の一覧を表示するための参加端末情報を、端末１０Ａに送信する。この参加端末情報には、例えば、参加端末の端末情報（端末ＩＤ、端末名、紹介設定情報等）、及び端末１０Ａの宛先リストに登録されているか否かを示す情報等が含まれる。
【０１４４】
なお、本実施形態では、端末１０Ａと同じ会議に参加している他の端末１０のうち、端末１０Ａの宛先リストに登録されていない端末１０は、「紹介」の対象としない。したがって、別の一例として、第１の通知部５８は、端末１０Ａと同じ会議に参加している他の端末１０のうち、端末１０Ａの宛先リストに登録されている登録済端末の情報を、参加端末情報として端末１０Ａに送信するもの等であっても良い。
【０１４５】
ステップＳ９０７において、端末１０Ａの表示制御部１７は、伝送管理装置５０から受信した参加端末情報を用いて、例えば、図１０（ａ）に示すような参加端末の一覧画面１０１０を、ディスプレイ１２０等の表示部に表示させる。
【０１４６】
図１０（ａ）は、端末１０Ａのディスプレイ１２０等の表示部に表示される参加端末の一覧画面１０１０の例を示している。図１０（ａ）の例では、参加端末の一覧画面１０１０には、１つ以上の参加端末に対応する表示要素である選択ボタン１０１１〜１０１４が表示されている。選択ボタン１０１１〜１０１４の各々には、例えば、端末（ＩＤ）１０１５、端末名１０１６、登録状況１０１７、紹介設定１０１８等の情報が表示されている。
【０１４７】
端末（ＩＤ）１０１５の括弧内の文字列は、参加端末の端末ＩＤを示している。端末名１０１６は、図７（ｃ）に示す端末情報管理テーブル７０３に登録されている参加端末の端末名である。登録状況１０１７は、参加端末が、端末１０Ａの宛先リストに登録されているか否か（登録済か未登録か）を示す情報である。紹介設定１０１８は、端末情報管理テーブル７０３に登録されている紹介設定情報に設定されている設定内容である。
【０１４８】
本実施形態では、端末１０Ａの宛先リストに登録されていない端末（登録状況１０１７が未登録の端末）である端末（０１ｄｂ）は紹介の対象とならないので、端末（０１ｄｂ）に対応する選択ボタン１０１４はグレーアウトされ、選択できないように表示されている。
【０１４９】
同様に、紹介設定１０１８が紹介不可となっている端末（０１ｂｂ）は紹介の対象とならないので、端末（０１ｂｂ）に対応する選択ボタン１０１３もグレーアウトされ、選択できないように表示されている。
【０１５０】
一方、登録状況１０１７が登録済であり、紹介設定１０１８が紹介可となっている端末（０１ａｂ）は紹介の対象となるので、端末（０１ａｂ）に対応する選択ボタン１０１１は、選択可能に表示されている。
【０１５１】
同様に、登録状況１０１７が登録済であり、紹介設定１０１８が要承認となっている端末（０１ｂａ）は紹介の対象となるので、端末（０１ｂａ）に対応する選択ボタン１０１２も選択可能に表示されている。
【０１５２】
端末１０Ａの利用者は、図１０（ａ）に示すような参加端末の一覧画面１０１０に選択可能に表示された選択ボタンを選択することにより、会議中に、「紹介」を行う端末１０Ｂ（第２の伝送端末）を選択することができる。
【０１５３】
図９に戻り、シーケンス図の説明を続ける。
【０１５４】
ステップＳ９０８において、端末１０Ａの操作入力受付部１２は、紹介を行う端末１０Ｂの選択操作を受け付ける。ここでは、例えば、図１０（ａ）に示す参加端末の一覧画面１０１０から、選択ボタン１０１１が選択され、端末１０Ｂとして端末（０１ａｂ）が選択されたものとして以下の説明を行う。
【０１５５】
ステップＳ９０９において、端末１０Ａの要求情報送信部１８は、ステップＳ９０８で受け付けた端末１０Ｂの端末ＩＤ「０１ａｂ」を含む候補端末情報の取得要求を、伝送管理装置５０に送信する。なお、候補端末情報は、端末１０Ａが、端末１０Ｂに対して「紹介」を行う端末１０Ｃの候補となる端末１０である候補端末の一覧を表示するための情報である。
【０１５６】
ステップＳ９１０において、伝送管理装置５０の第２の通知部５９は、端末１０Ａから端末１０Ｂの端末ＩＤを含む候補端末の取得要求を受け付けると、宛先リスト管理ＤＢ５００４から、端末１０Ａ、及び端末１０Ｂの宛先リストを取得する。これにより、第２の通知部５９は、端末１０Ａの宛先リストに登録されている各端末１０が、端末１０Ｂの宛先リストに登録されているか否かを特定することができる。
【０１５７】
ステップＳ９１１において、伝送管理装置５０の第２の通知部５９は、端末情報管理ＤＢ５００３から、端末１０Ａの宛先リストに登録されている各端末１０の端末情報を取得する。
【０１５８】
ステップＳ９１２において、伝送管理装置５０の第２の通知部５９は、ステップＳ９１０、Ｓ９１２で取得した情報を用いて、端末１０Ａが候補端末の一覧を表示するための候補端末情報を、端末１０Ａに送信する。この候補端末情報には、例えば、候補端末の端末情報（例えば、端末ＩＤ、端末名、紹介設定情報等）、及び端末１０Ｂの宛先リストに登録されているか否かを示す情報等が含まれる。
【０１５９】
なお、端末１０Ａの宛先リストに登録されている端末１０のうち、既に端末１０Ｂの宛先リストに登録されている端末１０は、新たな「紹介」の候補とならない。したがって、別の一例として、第２の通知部５９は、端末１０Ａの宛先リストに登録されている端末１０のうち、端末１０Ｂの宛先リストに登録されていない端末１０である未登録端末の情報を、候補端末情報として端末１０Ａに送信するもの等であっても良い。
【０１６０】
ステップＳ９１３において、端末１０Ａの表示制御部１７は、伝送管理装置５０から受信した候補端末情報を用いて、例えば、図１０（ｂ）に示すような候補端末の一覧画面１０２０を、ディスプレイ１２０等の表示部に表示させる。
【０１６１】
図１０（ｂ）は、端末１０Ａのディスプレイ１２０等の表示部に表示される候補端末の一覧画面１０２０の例を示している。図１０（ｂ）の例では、参加端末の一覧画面１０１０に、候補端末の一覧画面１０２０がポップアップ表示されている。また、参加端末の一覧画面１０１０において、ステップＳ９０８で選択された端末（０１ａｂ）の選択ボタン１０１１は、例えば、反転表示されている。
【０１６２】
また、候補端末の一覧画面１０２０には、１つ以上の候補端末に対応する選択ボタン１０２１〜１０２６が表示されている。１つ以上の選択ボタン１０２１〜１０２６の各々には、例えば、参加端末の一覧画面１０１０と同様に、端末（ＩＤ）、端末名、登録状況、紹介設定等の情報が表示されている。ただし、候補端末の一覧画面１０２０において、「登録状況」の情報は、候補端末が端末１０Ｂの宛先リストに登録されているか否か（登録済か、未登録か）を示している。
【０１６３】
なお、候補端末の一覧画面１０２０に表示されている候補端末のうち、既に端末１０Ｂの宛先リストに登録されている端末（０１ｄｂ）は、「紹介」の候補とはならなので、端末（０１ｄｂ）に対応する選択ボタン１０２６はグレーアウトされ、選択できない。
【０１６４】
また、候補端末の一覧画面１０２０に表示されている候補端末のうち、紹介設定が紹介不可となっている端末（１０ｂｂ）、端末（１０ｄａ）も、「紹介」の候補とはならないので、対応する選択ボタン１０２４、１０２５もグレーアウトされている。
【０１６５】
一方、候補端末の一覧画面１０２０に表示されている候補端末のうち、登録状態が未登録であり、紹介設定が紹介不可以外（紹介可、要承認）である端末（０１ｃａ）、端末（０１ｂａ）、端末（０１ｃｂ）は、「紹介」の候補となる。したがって、端末（０１ｃａ）に対応する選択ボタン１０２１、端末（０１ｂａ）に対応する選択ボタン１０２２、及び端末（０１ｃｂ）に対応する選択ボタン１０２３は、選択可能に表示されている。
【０１６６】
端末１０Ａの利用者は、図１０（ｂ）に示すような候補端末の一覧画面１０２０に選択可能に表示された選択ボタンを選択することにより、会議中に、端末１０Ｂと「紹介」を行う端末１０Ｃ（第３の伝送端末）を選択することができる。
【０１６７】
図９に戻り、シーケンス図の説明を続ける。
【０１６８】
ステップＳ９１４において、端末１０Ａの操作入力受付部１２は、端末１０Ｃの選択操作を受け付ける。ここでは、例えば、図１０（ｂ）に示す候補端末の一覧画面１０２０から、選択ボタン１０２１が選択され、端末１０Ｃとして端末（０１ｃａ）が選択されたものとして以下の説明を行う。
【０１６９】
好ましくは、端末１０Ａは、図１０（ｂ）に示す候補端末の一覧画面１０２０から、端末（０１ｃａ）に対応する選択ボタン１０２１が選択されると、表示制御部１７により、図１１（ａ）に示すような確認画面１１１０を、表示部に表示させる。
【０１７０】
図１１（ａ）の例では、候補端末の一覧画面１０２０の上に、確認画面１１１０が表示されている。端末１０Ａの利用者は、確認画面１１１０に表示された「ＹＥＳ」ボタン１１１１を選択することにより、端末（１０ｃａ）の選択を確定させることができる。
【０１７１】
ステップＳ９１５において、端末１０Ａの要求情報送信部１８は、ステップＳ９１４で受け付けた端末１０Ｃの端末ＩＤ「０１ｃａ」を含む登録要求を、伝送管理装置５０に送信する。なお、登録要求は、端末１０Ａが、端末１０Ｂと端末１０Ｃとの間の「紹介」、すなわち、端末１０Ｂの宛先リストに端末１０Ｃを登録し、端末１０Ｃの宛先リストに端末１０Ｂを登録する登録処理の実行を、伝送管理装置５０に要求する要求情報である。
【０１７２】
ステップＳ９１６において、伝送管理装置５０の登録制御部６０は、端末１０Ｂの宛先リストに端末１０Ｃを登録すると共に、端末１０Ｃの宛先リストに端末１０Ｂを登録する処理である登録処理の制御を行う。
【０１７３】
なお、本実施形態では、登録制御部６０は、端末１０Ｂの紹介設定情報、及び端末１０Ｃの紹介設定情報の設定に応じて、端末１０Ｂと端末１０Ｃとの間の登録処理（紹介）を制御する。
【０１７４】
（登録処理１）
図１２は、第１の実施形態に係る登録処理１の例を示すシーケンス図である。この登録処理１は、端末１０Ｂの紹介設定情報、及び端末１０Ｃの紹介設定情報の設定が、共に「紹介可」である場合の登録処理の例を示している。この場合、登録制御部６０は、端末１０Ｂ、及び端末１０Ｃによる承認処理に依らずに、登録処理を実行する。
【０１７５】
図１２において、伝送管理装置５０の登録制御部６０は、例えば、図９のステップＳ９１５で、端末１０Ａから送信される登録要求を受け付けると、ステップＳ１２０１以降の処理を実行する。
【０１７６】
ステップＳ１２０１において、登録制御部６０は、端末情報管理ＤＢ５００３に含まれる端末情報管理テーブル７０３から、端末１０Ｂ、及び端末１０Ｃの紹介設定情報を取得する。ここでは、端末１０Ｂの紹介設定情報、及び端末１０Ｃの紹介設定情報の設定が、共に「紹介可」であるものとする。
【０１７７】
ステップＳ１２０２において、登録制御部６０は、端末１０Ｂの紹介設定情報、及び端末１０Ｃの紹介設定情報の設定に基づいて、承認処理の要否を判断する。
【０１７８】
なお、登録制御部６０は、端末１０Ｂの紹介設定情報、及び端末１０Ｃの紹介設定情報が、「紹介可」（登録を許可する情報）である場合、承認処理が不要と判断し、登録処理を実行する。
【０１７９】
また、登録制御部６０は、端末１０Ｂ、及び端末１０Ｃの紹介設定情報のうち、一方が「紹介可」であり、他方が「要承認」（承認を要することを示す情報）である場合、紹介設定情報が「要承認」である端末１０に対して承認が必要と判断する。この場合、登録制御部６０は、承認が必要と判断された端末１０に宛先リストへの登録の承認を要求し、承認が得られた場合に登録処理を実行する。
【０１８０】
さらに、登録制御部６０は、端末１０Ｂ、及び端末１０Ｃの紹介設定情報が「要承認」である場合、端末１０Ｂ、及び端末１０Ｃの承認が必要と判断する。この場合、登録制御部６０は、端末１０Ｂ、及び端末１０Ｃに宛先リストへの登録の承認を要求し、端末１０Ｂ、及び端末１０Ｃの承認が得られた場合に登録処理を実行するものとする。
【０１８１】
図１２に示す登録処理１では、前述したように、端末１０Ｂの紹介設定情報、及び端末１０Ｃの紹介設定情報の設定が、共に「紹介可」なので、登録制御部６０は、承認処理が不要であると判断し、ステップＳ１２０３、Ｓ１２０４に示す登録処理を実行する。
【０１８２】
ステップＳ１２０３において、登録制御部６０は、宛先リスト管理ＤＢ５００４に含まれる宛先リスト管理テーブル７０２の端末１０Ｂの宛先リストに、端末１０Ｃを登録する。例えば、登録制御部６０は、宛先リスト管理テーブル７０２の端末１０Ｂに対応する要求元端末ＩＤ「０１ａｂ」に対応する宛先端末ＩＤに、端末１０Ｃの端末ＩＤ「０１ｃａ」を記憶する。
【０１８３】
ステップＳ１２０４において、登録制御部６０は、同様にして、宛先リスト管理ＤＢ５００４に含まれる宛先リスト管理テーブル７０２の端末１０Ｃの宛先リストに、端末１０Ｂを登録する。
【０１８４】
上記の処理により、端末１０Ａの利用者は、会議に参加中に、端末１０Ａの宛先リストに登録されている２つの端末（端末１０Ｂ、端末１０Ｃ）の宛先リストに、互いの情報を容易に登録することができるようになる。
【０１８５】
（登録処理２）
図１３は、第１の実施形態に係る登録処理２の例を示すシーケンス図である。この登録処理２は、端末１０Ｂの紹介設定情報、及び端末１０Ｃの紹介設定情報のうち、一方が共に「紹介可」であり、他方が「要承認」である場合の登録処理の例を示している。ここでは、一例として、端末１０Ｂの紹介設定情報が「紹介可」であり、端末１０Ｃの紹介設定情報が「要承認」であるものとして、以下の説明を行う。
【０１８６】
なお、図１３に示すステップＳ９１５、Ｓ１２０１、Ｓ１２０３、Ｓ１２０４の処理は、図１２に示す登録処理１と同様なので、ここでは、登録処理１との相違点を中心に説明を行う。
【０１８７】
ステップＳ１３０１において、登録制御部６０は、端末１０Ｂの紹介設定情報、及び端末１０Ｃの紹介設定情報の設定に基づいて、承認処理の要否を判断する。ここでは、端末１０Ｂの紹介設定情報が「紹介可」であり、端末１０Ｃの紹介設定情報が「要承認」なので、登録制御部６０は、端末１０Ｃの承認が必要と判断する。
【０１８８】
ステップＳ１３０２において、登録制御部６０は、承認が必要と判断された端末１０Ｃに、宛先リストへの登録の承認を要求する承認要求を送信する。
【０１８９】
ステップＳ１３０３において、端末１０Ｃの表示制御部１７は、伝送管理装置５０から承認要求を受け付けると、例えば、図１１（ｂ）に示すような承認画面１１２３を、ディスプレイ１２０等の表示部に表示させる。
【０１９０】
図１１（ｂ）の例では、端末１０Ｃの表示画面１１２０には、会議中の他の端末１０から受信した会議画像１１２１ａ、１１２１ｂ、１１２１ｃ、及び自端末（端末１０Ｃ）の会議画像１１２２が表示され、その上に、承認画面１１２３が表示されている。端末１０Ｃの利用者は、承認画面１１２３に含まれる「ＹＥＳ」ボタン１１２４を選択することにより、端末１０Ｃの宛先リストへの端末１０Ｂの登録を承認することができる。
【０１９１】
なお、本実施形態において、端末１０Ｂは、端末１０Ａと同じ会議に参加している端末１０であるが、端末１０Ｃは、会議に参加していない端末１０であっても良い。この場合、端末１０Ｃの表示制御部１７は、通常の待ち受け画面、又は宛先選択画面等に、承認画面１１２３を表示させる。
【０１９２】
ステップＳ１３０４において、端末１０Ｃの操作入力受付部１２は、利用者による承認操作を受け付けると、ステップＳ１３０５において、伝送管理装置５０に、宛先リストへの登録が承認されたことを示す承認通知を送信する。
【０１９３】
ステップＳ１３０６において、伝送管理装置５０の登録制御部６０は、ステップＳ１３０２で承認要求を送信した端末１０Ｃから送信された承認通知の受付を確認すると、ステップＳ１２０３、Ｓ１２０４に示す登録処理を実行する。
【０１９４】
なお、伝送管理装置５０は、ステップＳ１３０６で承認通知の受付を確認できない場合、及び端末１０Ｃから送信された承認を拒否することを示す承認拒否通知を受け付けた場合、登録処理を実行しない。
【０１９５】
上記の処理により、伝送管理装置５０の登録制御部６０は、端末１０毎に予め設定された紹介設定情報を用いて、端末１０のセキュリティレベルに応じて、登録処理を制御することができるようになる。
【０１９６】
（登録処理３）
図１４は、第１の実施形態に係る登録処理３の例を示すシーケンス図である。この登録処理３は、端末１０Ｂの紹介設定情報、及び端末１０Ｃの紹介設定情報の両方が、「要承認」である場合の登録処理の例を示している。なお、図１４に示すステップＳ９１５、Ｓ１２０１、Ｓ１２０３、Ｓ１２０４の処理は、図１２に示す登録処理１と同様なので、ここでは、登録処理１との相違点を中心に説明を行う。
【０１９７】
ステップＳ１３０１において、登録制御部６０は、端末１０Ｂの紹介設定情報、及び端末１０Ｃの紹介設定情報の設定に基づいて、承認処理の要否を判断する。ここでは、端末１０Ｂの紹介設定情報、及び端末１０Ｃの紹介設定情報の両方が「要承認」なので、登録制御部６０は、端末１０Ｂ、及び端末１０Ｃの承認が必要と判断する。
【０１９８】
ステップＳ１４０２ａ、Ｓ１４０２ｂにおいて、登録制御部６０は、承認が必要と判断された端末１０Ｂ、及び端末１０Ｃに、宛先リストへの登録の承認を要求する承認要求を送信する。
【０１９９】
ステップＳ１４０３ａおいて、端末１０Ｂの表示制御部１７は、伝送管理装置５０から承認要求を受け付けると、登録処理２と同様の承認画面表示部に表示させる。
【０２００】
ステップＳ１４０４ａにおいて、端末１０Ｂの操作入力受付部１２は、利用者による承認操作を受け付けると、ステップＳ１４０５ａにおいて、伝送管理装置５０に、宛先リストへの登録が承認されたことを示す承認通知を送信する。
【０２０１】
同様に、ステップＳ１４０３ｂおいて、端末１０Ｃの表示制御部１７は、伝送管理装置５０から承認要求を受け付けると、登録処理２と同様の承認画面表示部に表示させる。
【０２０２】
ステップＳ１４０４ｂにおいて、端末１０Ｃの操作入力受付部１２は、利用者による承認操作を受け付けると、ステップＳ１４０５ｂにおいて、伝送管理装置５０に、宛先リストへの登録が承認されたことを示す承認通知を送信する。
【０２０３】
ステップＳ１３０５において、伝送管理装置５０の登録制御部６０は、端末１０Ｂ、及び端末１０Ｃから送信された承認通知の受付を確認すると、ステップＳ１２０３、Ｓ１２０４に示す登録処理を実行する。
【０２０４】
なお、伝送管理装置５０は、ステップＳ１３０５で、端末１０Ｂ、及び端末１０Ｃのいずれか一方、又は両方からの承認通知の受付を確認できない場合、登録処理を実行しない。
【０２０５】
上記の処理により、伝送管理装置５０の登録制御部６０は、端末１０毎に予め設定された紹介設定情報を用いて、端末１０のセキュリティレベルに応じて、登録処理を制御することができるようになる。
【０２０６】
［第２の実施形態］
第１の実施形態では、例えば、図７（ｃ）に示す端末情報管理テーブル７０３において、端末毎に紹介設定情報が設定されている場合の例について説明を行った。
【０２０７】
別の一例として、伝送管理装置５０は、端末１０Ａと会議中である端末１０Ｂと端末１０Ｃとの間の「紹介」を、端末毎の紹介設定情報に依らずに実行するものであっても良い。第２の実施形態では、端末毎の紹介設定情報に依らずに「紹介」を行う場合の一例について説明する。
【０２０８】
なお、本実施形態に係る伝送管理装置５０、及び端末１０の機能構成は、図６に示す第１の実施形態と同様で良い。
【０２０９】
＜処理の流れ＞
図１５は、第２の実施形態に係る登録処理の例を示すシーケンス図である。なお、図１５に示すステップＳ９０１〜Ｓ９０４の処理は、図９のステップＳＳ９０１〜Ｓ９０４の処理と同様である。また、図１５に示す他の処理も、基本的な処理は図９に示す第１の実施形態と同様なので、ここでは第１の実施形態との相違点を中心に説明を行う。
【０２１０】
ステップＳ１５０１において、伝送管理装置５０の第１の通知部５８は、端末情報管理ＤＢ５００３に含まれる端末情報管理テーブル７０３から、端末１０Ａと同じ会議に参加している参加端末の端末情報を取得する。
【０２１１】
なお、本実施形態では、端末情報管理テーブル７０３から取得する端末情報には、紹介設定情報が含まれていなくても良い。
【０２１２】
ステップＳ１５０２において、伝送管理装置５０の第１の通知部５８は、ステップＳ９０３、Ｓ９０４、Ｓ１５０１で取得した情報を用いて、端末１０Ａが参加端末の一覧を表示するための参加端末情報を、端末１０Ａに送信する。この参加端末情報には、例えば、参加端末の端末情報（例えば、端末ＩＤ、端末名等）、及び端末１０Ａの宛先リストに登録されているか否かを示す情報等が含まれる。
【０２１３】
ステップＳ１５０３において、端末１０Ａの表示制御部１７は、伝送管理装置５０から受信した参加端末情報を用いて、参加端末の一覧画面を、ディスプレイ１２０等の表示部に表示させる。
【０２１４】
なお、本実施形態に係る参加端末の一覧画面には、例えば、図１０（ａ）に示す参加端末の一覧画面１０１０に含まれる紹介設定１０１８の情報は含まれていなくても良い。
【０２１５】
ステップＳ１５０４において、端末１０Ａの操作入力受付部１２は、紹介を行う端末１０Ｂの選択操作を受け付ける。ここでは、例えば、端末１０Ｂとして端末（０１ａｂ）が選択されたものとして以下の説明を行う。
【０２１６】
ステップＳ１５０５において、端末１０Ａの要求情報送信部１８は、ステップＳ１５０４で受け付けた端末１０Ｂの端末ＩＤ「０１ａｂ」を含む候補端末情報の取得要求を、伝送管理装置５０に送信する。
【０２１７】
ステップＳ１５０７において、伝送管理装置５０の第２の通知部５９は、端末１０Ａから端末１０Ｂの端末ＩＤを含む候補端末の取得要求を受け付けると、宛先リスト管理ＤＢ５００４から、端末１０Ａ、及び端末１０Ｂの宛先リストを取得する。
【０２１８】
ステップＳ１５０８において、伝送管理装置５０の第２の通知部５９は、端末情報管理ＤＢ５００３から、端末１０Ａの宛先リストに登録されている各端末１０の端末情報を取得する。なお、このとき、第２の通知部５９が、端末情報管理ＤＢ５００３から取得する端末情報には、端末毎の紹介設定情報が含まれていなくても良い。
【０２１９】
ステップＳ１５０９において、伝送管理装置５０の第２の通知部５９は、ステップＳ９１０、Ｓ９１２で取得した情報を用いて、端末１０Ａが候補端末の一覧を表示するための候補端末情報を、端末１０Ａに送信する。この参加端末情報には、例えば、候補端末の端末情報（例えば、端末ＩＤ、端末名等）、及び端末１０Ｂの宛先リストに登録されているか否かを示す情報等が含まれる。
【０２２０】
ステップＳ１５１０において、端末１０Ａの表示制御部１７は、伝送管理装置５０から受信した候補端末情報を用いて、候補端末の一覧画面１０２０を表示部に表示させる。
【０２２１】
なお、本実施形態に係る候補端末の一覧画面には、例えば、図１０（ｂ）に示す候補端末の一覧画面１０１０に含まれる紹介設定の情報は含まれていなくても良い。
【０２２２】
ステップＳ１５１１において、端末１０Ａの操作入力受付部１２は、端末１０Ｃの選択操作を受け付ける。ここでは、例えば、端末１０Ｃとして端末（０１ｃａ）が選択されたものとして以下の説明を行う。
【０２２３】
ステップＳ１５１２において、端末１０Ａの要求情報送信部１８は、ステップＳ１５１１で受け付けた端末１０Ｃの端末ＩＤ「０１ｃａ」を含む登録要求を、伝送管理装置５０に送信する。
【０２２４】
ステップＳ１５１３において、伝送管理装置５０の登録制御部６０は、例えば、図１２のステップＳ１２０３、Ｓ１２０４に示す登録処理を実行する。
【０２２５】
上記の処理により、端末１０Ａの利用者は、会議に参加中に、端末１０Ａの宛先リストに登録されている２つの端末（端末１０Ｂ、端末１０Ｃ）の宛先リストに、互いの情報を容易に登録することができるようになる。
【０２２６】
（変形例）
図１５のステップＳ１５０９において、伝送管理装置５０の第２の通知部５９は、候補端末情報として、端末１０Ａの宛先リストに登録されている端末１０のうち、端末１０Ｂの宛先リストに登録されていない端末１０の端末情報を送信している。したがって、この候補端末情報には、端末１０Ａが参加している会議に参加していない端末１０の端末情報が含まれている。
【０２２７】
別の一例として、第２の通知部５９は、端末１０Ａの宛先リストに登録されており、かつ端末１０Ｂの宛先リストに登録されていない端末１０のうち、端末１０Ａと同じ会議に参加している端末１０の端末情報を、候補端末情報として送信するものであっても良い。
【０２２８】
本変形例によれば、端末１０Ａと会議中の他の端末１０は、信頼性が高いと考えられるので、図１５に示す登録処理の信頼性を高めることができる。
【０２２９】
なお、上記の各実施形態そのままに限定されるものではなく、実施段階ではその要旨を逸脱しない範囲で構成要素を変形して具体化することができる。また、上記実施例に開示されている複数の構成要素の適宜な組み合わせにより、種々の発明を形成することができる。
【符号の説明】
【０２３０】
１        伝送システム
１０      端末（伝送端末）
５０      伝送管理装置
５３      端末情報管理部
５６      宛先リスト管理部
５７      会議管理部（セッション管理部）
５８      第１の通知部
５９      第２の通知部
６０      登録制御部
【先行技術文献】
【特許文献】
【０２３１】
【特許文献１】特開２０１５−０２９２５２号公報
【特許文献２】特開２０１５−１４９５１８号公報
【図１】
2018006823.tif 000003
【図２】
2018006823.tif 000004
【図３】
2018006823.tif 000005
【図４】
2018006823.tif 000006
【図５】
2018006823.tif 000007
【図６】
2018006823.tif 000008
【図７】
2018006823.tif 000009
【図８】
2018006823.tif 000010
【図９】
2018006823.tif 000011
【図１０】
2018006823.tif 000012
【図１１】
2018006823.tif 000013
【図１２】
2018006823.tif 000014
【図１３】
2018006823.tif 000015
【図１４】
2018006823.tif 000016
【図１５】
2018006823.tif 000017